(57)【要約】【課題】カセットからトレイへの検体の移し替えやカセット内やトレイ内での検体の保持が容易であり、更に、検体を包埋するパラフィンの継目がなく、薄切時に該継目から剥離したり、割れることのないパラフィンブロックの作製方法を提供する。【解決手段】カセット本体の底面部に検体を包埋したパラフィンが付着してなるパラフィンブロックを作製する方法において、カセット本体の底面上に両面粘着性の台紙を貼着し、該両面粘着性の台紙上に検体を貼着し、水洗及び薬液処理した後、検体を貼着した前記両面粘着性の台紙を台紙ごとカセット本体から剥離しトレイの底面上に貼着し、トレイ上にカセット本体を載置し、液状パラフィンを前記カセット本体が浸るまで注ぐことを特徴とするパラフィンブロックの作製方法である。【選択図】図１
2018194480.tif 000002
【特許請求の範囲】
【請求項１】
カセット本体の底面部に検体を包埋したパラフィンが付着してなるパラフィンブロックを作製する方法において、
カセット本体の底面上に両面粘着性の台紙を貼着し、該両面粘着性の台紙上に検体を貼着し、
水洗及び薬液処理した後、検体を貼着した前記両面粘着性の台紙をカセット本体から剥離しトレイの底面上に貼着し、
トレイ上にカセット本体を載置し、
液状パラフィンを前記カセット本体が浸るまで注ぐことを特徴とするパラフィンブロックの作製方法。
【請求項２】
検体が短冊状であることを特徴とする請求項１記載のパラフィンブロックの作製方法。
【請求項３】
検体が微小検体であることを特徴とする請求項１記載のパラフィンブロックの作製方法。
【請求項４】
両面粘着性の台紙が液透過性であることを特徴とするパラフィンブロックの作製方法。
【請求項５】
両面粘着性の台紙が多数の透孔を有することを特徴とするパラフィンブロックの作製方法。
【請求項６】
両面粘着性の台紙の周縁にタブを有することを特徴とするパラフィンブロックの作製方法。
【発明の詳細な説明】
【技術分野】
【０００１】
本発明は、パラフィンブロックの作製方法に関し、更に詳しくは、カセットからトレイへの検体の移し替えや、カセット内やトレイ内での検体の保持が容易であり、更に、パラフィンの継目がなく、薄切時に該継目から剥離したり、割れることのないパラフィンブロックの作製方法に関する。
【背景技術】
【０００２】
従来、この種の顕微鏡標本の作成に用いられる医療検査用カセット（以下、単にカセットと称することがある）は、図８及び図９に示すように、耐薬品性合成樹脂からなるカセット本体Ｃ１と蓋体Ｃ２とを具備してなる。カセット本体Ｃ１は、上面を開放した方形の容器で、底面部に多数の透孔Ｃ３を有し、短辺側の一側壁の外側に底面部に向かって末広がり状に傾斜した板状の記録部Ｃ１ａを設けている。蓋体Ｃ２は、着脱可能な板状体で、板面に多数の透孔Ｃ３を有している。Ｃ４は係止部である。
【０００３】
上記カセットＣを使用して顕微鏡標本を作製するには、まず、図９に示すように、採取した検体Ｓをカセット本体Ｃ１内に収容して蓋体Ｃ２を取り付け、記録部Ｃ１ａに被検者を特定するための氏名や記号等を記録しておく。
【０００４】
続いて、蓋体Ｃ２の透孔Ｃ３を通じて、検体Ｓを水洗し、アルコールにより検体Ｓの水分を除去し、キシレンにより検体Ｓの脂肪分を除去するとともに後述する液状パラフィンとの親和性を付与する。
【０００５】
次に、図１０、図１１に示すように、ステンレス製のトレイＴ内に液状パラフィンＰを入れ、検体Ｓをカセット本体Ｃ１からピンセットで取り出して前記トレイＴの中に移し替え、トレイＴの中に液状パラフィンＰ（Ｐ１）を少量入れ検体Ｓに液状パラフィンを浸透させ検体Ｓを仮固定する。続いて、図１２に示すように、トレイＴのカセット載置部Ｔ２にカセット本体Ｃ１を載せ、更に、カセット本体Ｃ１が浸るまで、追加の液状パラフィンＰ（Ｐ２）を検体Ｓ上に注ぎ足す。
【０００６】
次いで、図１３に示すように、液状パラフィンＰ（Ｐ１、Ｐ２）が固化した後トレイＴを取り去ることにより、検体Ｓを包埋したパラフィンＰ（Ｐ１、Ｐ２）がカセット本体Ｃ１の底面部に付着してなるパラフィンブロックＢを得る。
【０００７】
次に、図１４に示すように、ミクロトーム（図示せず）上にパラフィンブロックＢを裏返して載せて、ミクロトームに設置されたアダプターをパラフィンブロックＢに係合することにより、パラフィンブロックＢをミクロトームに固定する。続いて、パラフィンＰの検体Ｓを包埋した部分をスライスし、得られた薄片に染色、その他の所定の処理を施すことにより、図１４に示すような顕微鏡標本Ｈを得る。
【先行技術文献】
【特許文献】
【０００８】
【特許文献１】特許第４４０２２６５号公報
【発明の概要】
【発明が解決しようとする課題】
【０００９】
しかしながら、上記の方法では、ピンセットを使って、検体Ｓをカセット本体Ｃ１から取り出しトレイＴの中に移し替える作業が面倒で、例えば、細長い検体の場合は途中で切れたり、また、微少な検体の場合はピンセットではさみ難く、作業性が悪いという問題がある。また、カセット本体Ｃ１やトレイＴ内での検体Ｓの保持性が悪く、カセット本体Ｃ１内での水洗や薬液処理の際や、トレイＴ内での液状パラフィンを注ぐ際に、検体Ｓが丸まったり、移動して片寄ったりして作業効率を低下させる場合がある。
また、上記の液状パラフィンを注ぐ方法では、検体Ｓを包埋する最初の浸透及び固定に用いたパラフィンＰ１と追加のパラフィンＰ２との２層になり、この２層間に継目ＰＪが生じることが避けられない（図１４）。このため、得られたパラフィンブロックＢをミクロトームに固定しスライスする際に、この継目から割れたり、剥離するトラブルが発生し貴重な検体を台無しにする場合がある。
【００１０】
本発明は上記のような従来技術の問題点を解決するべく鋭意研究の結果、カセットからトレイへの検体の移し替えや、カセット内やトレイ内での検体の保持が容易であり、更に、検体を包埋するパラフィンに継目がなく、従って、スライスする際に、割れたり、剥離したりするトラブルを解消したパラフィンブロックの作製方法を提供するに至ったものである。
【課題を解決するための手段】
【００１１】
即ち、本発明の特徴は、カセット本体の底面部に検体を包埋したパラフィンが付着してなるパラフィンブロックを作製する方法において、
カセット本体の底面上に両面粘着性の台紙を貼着し、該両面粘着性の台紙上に検体を貼着し、
水洗及び薬液処理した後、検体を貼着した前記両面粘着性の台紙をカセット本体から剥離しトレイの底面上に貼着し、
トレイ上にカセット本体を載置し、
液状パラフィンを前記カセット本体が浸るまで注ぐことを特徴とするパラフィンブロックの作製方法である。
【００１２】
本発明の他の特徴は、検体が短冊状であることを特徴とするパラフィンブロックの作製方法である。
【００１３】
本発明の他の特徴は、検体が微小検体であることを特徴とするパラフィンブロックの作製方法である。
【００１４】
本発明の他の特徴は、両面粘着性の台紙が液透過性であることを特徴とするパラフィンブロックの作製方法である。
【００１５】
本発明の他の特徴は、両面粘着性の台紙が多数の透孔を有することを特徴とするパラフィンブロックの作製方法である。
【００１６】
本発明の他の特徴は、両面粘着性の台紙の周縁にタブを有することを特徴とするパラフィンブロックの作製方法である。
【発明の効果】
【００１７】
本発明のパラフィンブロックの製造方法によれば、カセット本体から検体をトレイに移し替える際には、カセット本体からトレイに検体を台紙ごと移し替えればよいので、細長い検体や微細な検体であっても、何ら不都合はなく、また検体が複数個であっても一気に移し替えることができる。
また、検体は台紙上に粘着剤により粘着固定されているので、カセット本体内での水洗や薬液処理の際や、トレイ内での液状パラフィンを注ぐ際に、検体が丸まったり、移動したり、片寄ったりすることがなく、これらの作業を効率的に行うことができる。
更に、本発明の製造方法により得られるパラフィンブロックは、検体を包埋するパラフィンが１層であり継目がないので、スライスする際に継目から割れたり、剥離したりする従来のようなトラブルがなく、貴重な検体を無駄にすることなく、顕微鏡標本を作製することができる。
【００１８】
また、本発明のパラフィンブロックの作製方法は、カセット本体の底面上に両面粘着性の台紙を貼着し、この台紙上に検体を貼着するため、細長い検体であっても容易に所望の状態に粘着固定でき、また、ポリープ等の微少検体であっても容易に台紙上にランダム又は規則的に貼着固定し、複数個の検体を一挙に処理することができる。
また、トレイの底面上に両面粘着性の台紙を貼着した検体を貼着するので、検体が液状パラフィンにより浮き上がることがないため一挙に液状パラフィンを注ぐことができる。従って、まず少量の液状パラフィンを注いで検体を固定し、次いで、追加の液状パラフィンを注ぐという２段で液体パラフィンを注ぐ従来の方法に比べて、簡単且つ短時間で効率的にパラフィンブロックを作製することができる。
【図面の簡単な説明】
【００１９】
【図１】カセット本体の底面上に両面粘着性の台紙を貼着した状態を示す概略図である。
【図２】図２において、カセット本体の両面粘着性の台紙の上に検体を貼着した状態を示す概略図である。
【図３】両面粘着性の台紙上に貼着した検体を台紙ごとトレイの底面上に貼着した状態を示す概略図である。
【図４】図４のトレイの上にカセット本体を載置し、カセット本体が浸るまで液状パラフィンを注いだ状態を示す概略図である。
【図５】図５において、トレイを取り去ってパラフィンブロックを得た状態を示す概略図である。
【図６】本発明の製造方法で得られるパラフィンブロックを示す概略図である。
【図７】図６のパラフィンブロックをミクロトームでスライスして得られた薄片状の顕微鏡標本を示す概略図である。
【図８】医療検査用カセットの一例を示す概略図である。
【図９】図８のカセットに検体を収容した状態を示す概略図である。
【図１０】トレイの一例を示す概略図である。
【図１１】トレイに少量の液状パラフィンを注いで検体にパラフィンを浸透させるとともにトレイの底面上に固定した状態を示す概略図である。
【図１２】図１１のトレイの上にカセット本体を載置し、カセット本体が浸るまで液状パラフィンを注いだ状態を示す概略図である。
【図１３】図１２において、トレイを取り去ってパラフィンブロックを得た状態を示す概略図である。
【図１４】図１３のパラフィンブロックを上下逆にしてミクロトームでスライスする状態を示す概略図である。
【図１５】スライスして得られた薄片状の顕微鏡標本を示す概略図である。
【発明を実施するための形態】
【００２０】
本発明のパラフィンブロックの製造方法は、カセット本体の底面部に検体を包埋したパラフィンが付着してなるパラフィンブロックを作製する方法において、カセット本体の底面上に両面粘着性の台紙を貼着し、該両面粘着性の台紙上に検体を貼着し、水洗及び薬液処理した後、検体を貼着した前記両面粘着性の台紙をカセット本体から剥離しトレイの底面上に貼着し、トレイ上にカセット本体を載置し、液状パラフィンを前記カセット本体が浸るまで注ぐことを特徴とするパラフィンブロックの作製方法を特徴とする。
【００２１】
本発明のパラフィンブロックの作製方法については、まず、図１に示すように、カセット本体Ｃ１の底面上に両面粘着性の台紙２を貼着する。両面粘着性の台紙２は液透過性のものが好ましく、多数の透孔を形成することができる。透孔のサイズは検体よりも小さければ特に制限はないが、円形の場合は、通常、直径０．５〜３ｍｍ程度、四角形の場合は１辺が０．５〜３ｍｍ程度のものが好ましい。格子状のものでもよい。２ａは両面粘着性の台紙２の周縁に部分的に突出したタブで、これを指で摘んで両面粘着性の台紙を付着させたり剥離除去でき作業性が向上するので好ましい。尚、タブは指で摘んで操作するため、粘着剤は施さないのが好ましい。
次いで、図２に示すように、検体Ｓを上記粘着性の台紙２の上に貼着し、水洗及び薬液処理する。この水洗及び薬液処理は従来と同じであり、検体Ｓに液状パラフィンとの親和性を付与するためのものである。
【００２２】
次いで、図３に示すように、水洗、薬液処理を施した、両面粘着性の台紙上に貼着された検体を台紙ごとトレイＴの底面上に移し替え貼着する。次いで、図４に示すように、カセット載置部Ｔ２にカセット本体Ｃ１を載置し、液状パラフィンを前記カセット本体Ｃ１が浸るまで注ぐ。この際に、検体Ｓは両面粘着性の台紙２を介してトレイＴの検体収容部Ｔ３の底面上に貼着されているので、液状パラフィンＰを一気に注いでも検体Ｓが浮き上がることはない。
【００２３】
尚、液状パラフィンをカセット本体Ｃ１が浸るまで注ぐ目的は、カセット本体Ｃ１の底部の透孔Ｃ３を介してトレイＴ内の検体Ｓを包埋したパラフィンをカセット本体Ｃ１の底部に十分に付着させ、後にミクロトームでスライスする際にカセット本体Ｃ１の底部から分離しないようにするためである。従って、通常、カセット本体Ｃ１の高さの約８０〜１００％になるように注がれるが、通常は冷却収縮して７５〜９５％程度になる。
【００２４】
次いで、図５に示すように、トレイＴを取り去ることにより、パラフィンブロック１が得られる。この際に、両面粘着性の台紙２はトレイＴの方に貼着してトレイＴとともに取り去られる。
得られたパラフィンブロック１は両面粘着性の台紙２の上に貼着する前に、親和性の付与に使用した液状パラフィンのため、及び、カセット本体Ｃ１が浸るまで注いだ液状パラフィンが検体Ｓと両面粘着性の台紙２との間にも廻り込むため、検体Ｓの表面にはパラフィンの薄い層が形成される。また、粘着性により、両面粘着性の台紙２はトレイに残すことも、また、検体Ｓの表面に残すことも可能である。尚、図５において、カセット本体Ｃ１から食み出たバリは削切されている。
【００２５】
得られたパラフィンブロックは、図６に示すように、上下を逆にして、即ち、検体Ｓ側を上部に、カセット本体Ｃ１側を下にしてミクロトーム上にアダプターに係合固定された状態でスライスされ、図７に示すような顕微鏡標本が得られる。
図６に示すように、本発明の製造方法で得られるパラフィンブロック１はカセット本体Ｃ１の底面部に、検体Ｓを包埋したパラフィンＰが付着してなり、パラフィンＰは１層からなり継目は存在しないことが特徴である。
従って、図７に示すように、パラフィンブロック１をスライスして、パラフィンＰに包埋された検体Ｓからなる薄片状の顕微鏡標本Ｈを得る際に、従来のように、パラフィンＰが割れたり、剥離するといったトラブルは発生しない。
【００２６】
本発明における検体は両面粘着性の台紙に貼着されるものであれば特に制限されないが、貼着の作業性からは短冊状の検体が好ましい。また、細長い検体やポリープ等の微小検体であっても、容易に両面粘着性の台紙に貼着固定できるので、従来のようにパラフィンで固定する場合に比べ、作業性は大巾に向上する。更に、複数個の微小検体を両面粘着性の台紙上にランダムに又は規則的に任意に貼着固定することができるので、複数個の検体を一挙に処理することが可能である。
【００２７】
本発明における医療検査用カセットは、カセット本体と蓋体とからなるものであれば特に制限されず、上記においては傾斜した板状の記録部を有するカセットを例示したが、このような傾斜した板状の記録部を有していないカセットも使用可能である。
また、本発明におけるトレイも特に制限はなく、上記においては額縁部を有するトレイを例示したが、このような額縁部を有しないものも使用可能である。
また、顕微鏡標本の左右の方向を視認できるように、検体収容部の左右のいずれかを非対称とした形状のものも使用することができる。
【産業上の利用可能性】
【００２８】
叙上のとおり、カセット本体から検体をトレイに移し替える際には、カセット本体からトレイに検体を台紙ごと移し替えればよいので、細長い検体や微細な検体であっても、何ら不都合はなく、また検体が複数個であっても一気に移し替えることができる。
また、検体は台紙上に粘着剤により粘着固定されているので、カセット本体内での水洗や薬液処理の際や、トレイ内での液状パラフィンを注ぐ際に、検体が丸まったり、移動したり、片寄ったりすることがなく、これらの作業を効率的に行うことができる。
更に、本発明のパラフィンブロックの製造方法により得られるパラフィンブロックは、検体を包埋したパラフィンが１層からなり継目がないため、スライスして薄片状の顕微鏡標本を作製する際に、割れたり、剥離したりして、貴重な検体を台無しにするといったトラブルが防止される。
【００２９】
また、本発明のパラフィンブロックの作製方法は、カセット本体の底面上に両面粘着性の台紙を貼着し、この台紙上に検体を貼着するため、細長い検体であっても容易に所望の状態に粘着固定でき、またポリープ等の微少検体であっても容易に台紙上にランダム又は規則的に貼着固定し、複数個の検体を一挙に処理することができる。
また、トレイの底面上に両面粘着性の台紙を貼着し、この台紙上に検体を貼着することにより、一挙に液状パラフィンを注ぐことができるので、まず少量の液状パラフィンを注いで検体を固定し、次いで、追加の液状パラフィンを注ぐという２段で液体パラフィンを注ぐ従来の方法に比べて、簡単且つ短時間で効率的にパラフィンブロックを作製することができる。
【符号の説明】
【００３０】
１  パラフィンブロック
２  両面粘着性の台紙
２ａ  タブ
Ｃ１  カセット本体
Ｃ１ａ  記録部
Ｃ２  蓋体
Ｃ３  透孔
Ｃ４  係止部
Ｔ  トレイ
Ｔ１  額縁部
Ｔ２  カセット本体載置部
Ｔ３  検体収容部
Ｐ、Ｐ１、Ｐ２  パラフィン
ＰＪ  パラフィンの継目
Ｂ  パラフィンブロック
【図１】
2018194480.tif 000003
【図２】
2018194480.tif 000004
【図３】
2018194480.tif 000005
【図４】
2018194480.tif 000006
【図５】
2018194480.tif 000007
【図６】
2018194480.tif 000008
【図７】
2018194480.tif 000009
【図８】
2018194480.tif 000010
【図９】
2018194480.tif 000011
【図１０】
2018194480.tif 000012
【図１１】
2018194480.tif 000013
【図１２】
2018194480.tif 000014
【図１３】
2018194480.tif 000015
【図１４】
2018194480.tif 000016
【図１５】
2018194480.tif 000017